(57)【要約】【課題】ＡＤＳＬ回線上で送受されるデータのプロトコルを解析するためのプロトコル解析用アダプタ及びプロトコル解析方法を提供する。【解決手段】ＡＤＳＬ回線５ａと５ｂの内のいずれか一方からデータを受信し、受信されたデータのプロトコルをＡＤＳＬプロトコルから１００ＢＡＳＥ−Ｔプロトコルへと変換し、１００ＢＡＳＥ−Ｔプロトコルへの変換がなされたデータを複製し、複製されたデータをプロトコルアナライザ７へ送信し、プロトコル変換がなされたデータのプロトコルをＡＤＳＬプロトコルへと変換し、ＡＤＳＬプロトコルへの変換がなされたデータを前述のＡＤＳＬ回線５ａと５ｂの内の他方へ送信するプロトコル解析用アダプタ１を設ける。【選択図】  図１
2004229009.tif 000002
【特許請求の範囲】
【請求項１】
ＡＤＳＬ回線と、該ＡＤＳＬ回線上で送受されるデータのプロトコルを解析するプロトコルアナライザとを接続するためのプロトコル解析用アダプタであって、
前記データの送信元より該データを受信する受信手段と、
前記受信手段により受信されたデータのプロトコルをＡＤＳＬプロトコルから１００ＢＡＳＥ−Ｔプロトコルへと変換する１００ＢＡＳＥ−Ｔプロトコル変換手段と、
前記１００ＢＡＳＥ−Ｔプロトコル変換手段によりプロトコルの変換がなされたデータを複製し、前記プロトコルアナライザへ送信する変換済みデータ送信手段と、
前記変換がなされたデータのプロトコルを１００ＢＡＳＥ−ＴプロトコルからＡＤＳＬプロトコルへと変換するＡＤＳＬプロトコル変換手段と、
前記ＡＤＳＬプロトコル変換手段によりプロトコルの変換がなされたデータを該データの送信先へ送信する送信手段と
を有することを特徴とするプロトコル解析用アダプタ。
【請求項２】
前記受信手段及び前記送信手段は、前記ＡＤＳＬ回線に接続するためのコネクタを含むＡＤＳＬインタフェース部を有することを特徴とする請求項１に記載のプロトコル解析用アダプタ。
【請求項３】
前記変換済みデータ送信部は、前記プロトコルアナライザに接続するためのコネクタを含む１００ＢＡＳＥ−Ｔインタフェース部を有することを特徴とする請求項１又は２に記載のプロトコル解析用アダプタ。
【請求項４】
ＡＤＳＬ回線と、該ＡＤＳＬ回線上で送受されるデータのプロトコルを解析するプロトコルアナライザとを接続するためのプロトコル解析用アダプタを用いるプロトコル解析方法であって、
前記プロトコル解析用アダプタが、
前記データの送信元より該データを受信し、
前記受信されたデータのプロトコルをＡＤＳＬプロトコルから１００ＢＡＳＥ−Ｔプロトコルへと変換し、
前記１００ＢＡＳＥ−Ｔプロトコルへの変換がなされたデータを複製し、
前記複製されたデータを前記プロトコルアナライザへ送信し、
前記プロトコル変換がなされたデータのプロトコルをＡＤＳＬプロトコルへと変換し、
前記ＡＤＳＬプロトコルへの変換がなされたデータを該データの送信先へ送信する
ことを特徴とするプロトコル解析方法。
【発明の詳細な説明】
【０００１】
【発明の属する技術分野】
本発明は、ＡＤＳＬ回線と、このＡＤＳＬ回線上で送受されるデータのプロトコルを解析するプロトコルアナライザとを接続するためのプロトコル解析用アダプタ及びプロトコル解析方法に関する。
【０００２】
【従来の技術】
ＡＤＳＬ回線等で送受されるデータのプロトコルを解析し、表示するプロトコルアナライザは、回線上で生じた問題の解決（トラブルシューティング）等に用いられている。
【０００３】
上記のプロトコルアナライザには幾つかの種類が存在し、これらの一例としては、ネットワーク上で送受されるデータのプロトコルを解析するためのネットワークプロトコルアナライザ、ＳＣＳＩ（Ｓｍａｌｌ  Ｃｏｍｐｕｔｅｒ  Ｓｙｓｔｅｍ  Ｉｎｔｅｒｆａｃｅ）ケーブル上で送受されるデータのプロトコルを解析するＳＣＳＩプロトコルアナライザ等が挙げられる（例えば、特許文献１参照）。
【０００４】
図５は、従来のプロトコルアナライザを用いてのプロトコル解析を説明するための図である。
通信規格として１００ＢＡＳＥ−Ｔを用いるイーサネット（登録商標）１００上に位置するユーザ端末１０１は、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称型デジタル加入者線）モデム内蔵ルータ１０２にと接続されている。
【０００５】
また、ＡＤＳＬ通信事業者設備１０４は、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）部１０５と、ＲＡＳ（Ｒｅｍｏｔｅ  Ａｃｃｅｓｓ  Ｓｅｒｖｅｒ）部１０６を有し、地域ＩＰ（Ｉｎｔｅｒｎｅｔ  Ｐｒｏｔｏｃｏｌ）網等の通信事業者ネットワークに接続されており、上記のＡＤＳＬモデム内蔵ルータとＤＳＬＡＭ部１０５とは、ＡＤＳＬ回線１０３により接続されている。
【０００６】
【特許文献１】
特開２００２−１６４９５７号公報（第７頁−第１２頁、第１図）
【０００７】
【発明が解決しようとする課題】
しかしながら、プロトコルアナライザを用いて上記のようなＡＤＳＬ回線１０３上で送受されるデータのプロトコルを解析するにあたっては、以下に示すような解決すべき課題が存在する。
【０００８】
例えば、図に示すようにイーサネット（登録商標）１００上、つまりユーザ端末１０１とＡＤＳＬモデム内蔵ルータ１０２とを結ぶケーブル等にプロトコルアナライザ１０８ｂを接続し、これらの間で送受されるデータのプロトコルを分析する場合は、図６に示すプロトコルスタックの上位レイヤ（ｌａｙｅｒ）を解析することができる。
【０００９】
しかし、ＡＤＳＬ回線１０３の通信方式は、アナログ通信方式であり、にＡＤＳＬ回線１０３に電気接点等を設け、プロトコルアナライザ１０８ａを接続した場合、抵抗、インピーダンス等の電気的条件が変化し、通信品質に影響を及ぼすことがあり、したがって、図６のＰＰＰ（Ｐｏｉｎｔ  ｔｏ  Ｐｏｉｎｔ  Ｐｒｏｔｏｃｏｌ）、ＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標））等の上位レイヤのプロトコルを解析することができず、回線上で何らかの問題が生じた場合、その原因の究明や問題の解決が困難であるという問題点があった。
【００１０】
このような事情に鑑み、本発明は、ＡＤＳＬ回線上で送受されるデータのプロトコルを解析するためのプロトコル解析用アダプタ及びプロトコル解析方法を提供することを目的とする。
【００１１】
なお、図６に示したプロトコルスタックは、５３バイトの固定長データ列を単位として情報の受け渡しを行うことにより高速転送が可能なＡＴＭ（Ａｓｙｎｃｈｒｏｎｏｕｓ  Ｔｒａｎｓｆｅｒ  Ｍｏｄｅ：非同期転送モード）のプロトコルを含むが、このＡＴＭのプロトコルが含まれない場合もある。
【００１２】
【課題を解決するための手段】
請求項１に記載の本発明は、ＡＤＳＬ回線と、ＡＤＳＬ回線上で送受されるデータのプロトコルを解析するプロトコルアナライザとを接続するためのプロトコル解析用アダプタであって、データの送信元よりデータを受信する受信手段と、受信手段により受信されたデータのプロトコルをＡＤＳＬプロトコルから１００ＢＡＳＥ−Ｔプロトコルへと変換する１００ＢＡＳＥ−Ｔプロトコル変換手段と、１００ＢＡＳＥ−Ｔプロトコル変換手段によりプロトコルの変換がなされたデータを複製し、プロトコルアナライザへ送信する変換済みデータ送信手段と、変換がなされたデータのプロトコルを１００ＢＡＳＥ−ＴプロトコルからＡＤＳＬプロトコルへと変換するＡＤＳＬプロトコル変換手段と、ＡＤＳＬプロトコル変換手段によりプロトコルの変換がなされたデータをデータの送信先へ送信する送信手段とを有することを要旨とする。
【００１３】
請求項１に記載の本発明にあっては、データの送信元よりデータを受信し、受信されたデータのプロトコルをＡＤＳＬプロトコルからプロトコルアナライザにより解析可能な１００ＢＡＳＥ−Ｔプロトコルへと変換し、このデータを複製するとともにプロトコルアナライザへ送信するため、上位レイヤのプロトコルを解析することが可能となる。さらに、１００ＢＡＳＥ−Ｔプロトコルへの変換がなされたデータのプロトコルをＡＤＳＬプロトコルに変換し、データの送信先へ送信するため、通信を中断せずにプロトコル解析を行うことが可能となる。なお、ここでいう１００ＢＡＳＥ−Ｔプロトコルとは、通信規格の一つである１００ＢＡＳＥ−Ｔを用いて通信を行うためのプロトコル全てを指す。
【００１４】
請求項２に記載の本発明は、請求項１に記載の発明において、受信手段及び送信手段は、ＡＤＳＬ回線に接続するためのコネクタを含むＡＤＳＬインタフェース部を有することを要旨とする。
【００１５】
請求項３に記載の本発明は、請求項１又は２に記載の発明において、変換済みデータ送信部は、プロトコルアナライザに接続するためのコネクタを含む１００ＢＡＳＥ−Ｔインタフェース部を有することを要旨とする。
【００１６】
請求項４に記載の本発明は、ＡＤＳＬ回線と、ＡＤＳＬ回線上で送受されるデータのプロトコルを解析するプロトコルアナライザとを接続するためのプロトコル解析用アダプタを用いるプロトコル解析方法であって、プロトコル解析用アダプタが、データの送信元よりデータを受信し、受信されたデータのプロトコルをＡＤＳＬプロトコルから１００ＢＡＳＥ−Ｔプロトコルへと変換し、１００ＢＡＳＥ−Ｔプロトコルへの変換がなされたデータを複製し、複製されたデータをプロトコルアナライザへ送信し、プロトコル変換がなされたデータのプロトコルをＡＤＳＬプロトコルへと変換し、ＡＤＳＬプロトコルへの変換がなされたデータをデータの送信先へ送信することを要旨とする。
【００１７】
請求項４に記載の本発明にあっては、データの送信元よりデータを受信し、受信されたデータのプロトコルをＡＤＳＬプロトコルからプロトコルアナライザにより解析可能な１００ＢＡＳＥ−Ｔプロトコルへと変換し、このデータを複製するとともにプロトコルアナライザへ送信するため、上位レイヤのプロトコルを解析することが可能となる。さらに、１００ＢＡＳＥ−Ｔプロトコルへの変換がなされたデータのプロトコルをＡＤＳＬプロトコルに変換し、データの送信先へ送信するため、通信を中断せずにプロトコル解析を行うことが可能となる。なお、ここでいう１００ＢＡＳＥ−Ｔプロトコルとは、通信規格の一つである１００ＢＡＳＥ−Ｔを用いて通信を行うためのプロトコル全てを指す。
【００１８】
【発明の実施の形態】
以下、図面を用いつつ本発明の光線路検査装置及び光線路検査方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、本発明の実施の形態を説明するための全図において、同一の要素には同一の符号を付与し、これに関する反復説明は省略する。
【００１９】
図１は、本発明の一実施の形態に係るプロトコル解析用アダプタ１を示すブロック図である。
プロトコル解析用アダプタ１は、ＡＤＳＬ回線５ａを介してＡＤＳＬモデム内蔵ルータ４に接続され、このＡＤＳＬモデム内蔵ルータ４は、イーサネット（登録商標）２上に位置するユーザ端末３と接続されている。
【００２０】
また、プロトコル解析用アダプタは、さらにＡＤＳＬ回線５ｂを介してＡＤＳＬ通信事業者設備６と接続され、プロトコルアナライザ７とも接続されている。なお、前記のＡＤＳＬ通信事業者設備６は、図５に示したＡＤＳＬ通信事業者設備１０４と同様である。
【００２１】
このように、ユーザ端末３とＡＤＳＬ通信事業者設備６とは、ＡＤＳＬ回線５ａ、プロトコル解析用アダプタ１及びＡＤＳＬ回線５ｂにより接続され、データの送受が行われる。なお、以降の説明は、ＡＤＳＬ通信事業者設備６からユーザ端末３へデータが送信される場合を例にして行う。また、本実施の形態を説明するための全図においては、スプリッタの記載は省略している。
【００２２】
図２は、図１のプロトコル解析用アダプタ１の詳細を示すブロック図である。
プロトコル解析用アダプタ１は、請求項に記載の送信手段及び受信手段に含まれるＤＳＬＡＭ（ＡＤＳＬ集合モデム）部１３、ＡＤＳＬモデム部１６、ＡＤＳＬインタフェース部１１ａ及び１１ｂと、請求項に記載の１００ＢＡＳＥ−Ｔプロトコル変換手段及びＡＤＳＬプロトコル変換手段に含まれる変換部１４と、請求項に記載の変換済みデータ送信手段に含まれる複製部１５及びイーサネット（登録商標）インタフェース部１２と、通信品質監視部１７とを有し、ＡＤＳＬ通信事業者設備と同様の機能を発揮する。なお、本図においては、図１のイーサネット（登録商標）２及びユーザ端末３の記載は省略している。
【００２３】
ＡＤＳＬインタフェース部１１ａは、ＡＤＳＬ回線５ａと接続するためのものであり、ＡＤＳＬインタフェース部１１ｂは、ＡＤＳＬ回線５ｂと接続するためのものであり、双方ともケーブルと接続するためのコネクタを含む。
【００２４】
イーサネット（登録商標）インタフェース部１２は、プロトコルアナライザ７と接続するためのものであり、そのためのコネクタを含む。
【００２５】
ＡＤＳＬモデム部１６は、ＡＤＳＬ回線５ｂ及びＡＤＳＬインタフェース部１１ｂを介してデータを受信する。
【００２６】
変換部１４は、受信されたデータのプロトコルをＡＤＳＬプロトコルからイーサネット（登録商標）プロトコルへと変換する。なお、このイーサネット（登録商標）プロトコルは、イーサネット（登録商標）上で通信を行うためのプロトコル全てを指し、請求項に記載の１００ＢＡＳＥ−Ｔプロトコルに含まれる。
【００２７】
複製部１５は、変換部１４においてプロトコルの変換がなされたデータを複製し、これをイーサネット（登録商標）インタフェース部１２を介してプロトコルアナライザ７へ送信する。データを受信したプロトコルアナライザ７は、これに対して図６に例示したような各種プロトコルの解析を行い、その結果を表示する。
【００２８】
一方、変換部１４は、プロトコルの解析中であってもユーザ端末３とＡＤＳＬ通信事業者設備６との間での通信を維持する必要があることから、ＡＤＳＬモデム部１６により受信された元のデータのプロトコル形式をイーサネット（登録商標）プロトコルからＡＤＳＬプロトコルに変換し、データを元の状態に復元する。これにより、このデータは、ＡＤＳＬ回線５ａを介してユーザ端末３（図１）により受信されることが可能となる。
【００２９】
ＤＳＬＡＭ部１３は、変換部１４によりもとの状態に復元されたデータをＡＤＳＬインタフェース部１１ａ、ＡＤＳＬ回線５ａ、ＡＤＳＬモデム内蔵ルータ４を介してユーザ端末３へ送信する。
【００３０】
通信品質監視部１７は、図１のユーザ端末３とＡＤＳＬ通信事業者設備６（これに接続されている端末も含む）との間で行われている通信の状況（通信品質）を監視する。
【００３１】
なお、上記の説明は、ＡＤＳＬ通信事業者設備６からユーザ端末３へデータが送信される場合を例にして行ったが、これに限定されず、ユーザ端末３からＡＤＳＬ通信事業者設備６へデータが送信される場合においても、上記と同様の動作を行い、通信の確保とプロトコル解析を可能とする。
【００３２】
また、ＡＤＳＬ通信で通常使用されているＡＤＳＬ  Ａｎｎｅｘ．Ｃ仕様では、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）通信機器からの電気的干渉を避けるために、デュアルマップ方式が用いられており、ＩＳＤＮからの近端漏話の影響を押さえるために、ＩＳＤＮピンポン伝送と同期を取って送信データ量を変化させている。したがって、前記のＡＤＳＬモデム部１６は、標準のＡＤＳＬ  Ａｎｎｅｘ．Ｃ仕様のモデム機能を有する。
【００３３】
また、前記のＤＳＬＡＭ部１３は、ＡＤＳＬ回線５ａの近傍にはＩＳＤＮ通信機器が存在せず、ＩＳＤＮ信号のＡＤＳＬ回線５ａに対する干渉を考慮する必要がないため、任意のタイミングで内部クロックを生成し、ＡＤＳＬモデム内蔵ルータ（Ａｎｎｅｘ．Ｃ）とリンク（同期）を確立する。
【００３４】
上記のプロトコル解析用アダプタ１によりプロトコル解析が可能となることにより、図６に示すＰＰＰの解析が可能となり、これにより、認証機能（アカウント名、パスワード）、ＩＰアドレス配布設定、ＩＰフレームサイズ、ＭＴＵ（Ｍａｘｉｍｕｍ  Ｔｒａｎｓｍｉｓｓｉｏｎ  Ｕｎｉｔ）値といったＩＰ関連パラメータ、キープアライブ機能、切断手順等の設定及び状態が適切であるかを監視することが可能となる。
【００３５】
また、プロトコルアナライザによるプロトコル解析の結果とＡＤＳＬモデム内蔵ルータ４のデータとを比較することにより、このＡＤＳＬモデム内蔵ルータ４の機能評価を行うことが可能となる。これにより評価可能な項目としては、ＮＡＴ（Ｎｅｔｗｏｒｋ  Ａｄｄｒｅｓｓ  Ｔｒａｎｓｌａｔｏｒ：ネットワークアドレス変換）の状況、パケット破棄の有無（フィルタ機能の評価、パケット損失）、ルーティング情報、ルータの処理遅延、前述のＩＰ関連パラメータの変換等が挙げられる
また、ＡＤＳＬ事業者が提供するＡＤＳＬ回線５ａは、一旦、プロトコル解析用アダプタ１で終端されるため、ＡＤＳＬ回線の通信品質はユーザ端末３側の回線品質に依存されるものの、通常のモデムと同様の品質が保証される。
【００３６】
また、図３に示すように、プロトコル解析用アダプタ１とユーザ端末側のＡＤＳＬ回線５ｂは、全長が短いケーブルで接続するため、十分なＡＤＳＬ通信品質を実現できる。つまり、ＡＤＳＬ仕様に基づく最大速度を保証することができ、通信速度低下の原因とはならない。したがって、ユーザ端末３側における通信速度がＡＤＳＬ導入により低下することがない。
【００３７】
また、図４に示すように、プロトコル解析用アダプタ１は、下位レイヤ（ＡＤＳＬ）のみを終端し、ＡＤＳＬ回線上で送受信される上位レイヤ（ＩＰ等）の通信（図中のＰＰＰセッション）はユーザ宅に設置されたＡＤＳＬモデム内蔵ルータ４と、ＡＤＳＬ通信事業者設備６のＲＡＳ部６２、若しくはＩＳＰ（インターネット・サービス・プロバイダ）事業者のＲＡＳ部（図示せず）で終端する。したがって、本発明品は上位レイヤの通信に影響を与えず、その結果、ユーザのＡＤＳＬモデム内蔵ルータ４と、ＡＤＳＬ事業者又はＩＳＰ設備間の通信状況を監視することが可能となる。
【００３８】
なお、ＲＡＳ部６２は、図５の通信事業者ネットワーク１０７と同様のネットワークに接続されているが、これの記載は省略している。また、ＤＳＬＡＭ部６１は、図５のＤＳＬＡＭ部１０５と同様の機能を有する。
【００３９】
以上の点から、回線上で問題が発生した場合、その原因の究明や問題の解決を迅速且つ的確に行うことが可能となり、さらに通信品質を維持することも可能となる。
【００４０】
なお、上記のプロトコル解析用アダプタ１の動作は、請求項に記載のプロトコル解析方法に含まれる。
【００４１】
また、本実施の形態においては、プロトコル解析用アダプタ１とプロトコルアナライザ７は別個の存在である場合を示したが、これに限定されず、双方の機能を有する構成とすることもできる。
【００４２】
また、本実施の形態においては、ＡＤＳＬインタフェース部１１ａ、１１ｂ及びイーサネット（登録商標）インタフェース部１２の其々が独立した存在である場合を示したが、これに限定されず、ＤＳＬＡＭ部１３がＡＤＳＬインタフェース部１１ａを有し、ＡＤＳＬモデム部１６がＡＤＳＬインタフェース部１１ｂを有し、複製部１５がイーサネット（登録商標）インタフェース部１２を有する構成とすることもできる。
【００４３】
【発明の効果】
以上のとおり本発明によれば、ＡＤＳＬ回線に接続し、このＡＤＳＬ回線より受信したデータのプロトコルをＡＤＳＬプロトコルからプロトコルアナライザにより解析可能なプロトコルへと変換し、このデータをプロトコルアナライザへ送信するため、ＡＤＳＬ回線上で送受されるデータのプロトコルを解析するためのプロトコル解析用アダプタ及びプロトコル解析方法を提供することが可能となる。
【図面の簡単な説明】
【図１】本発明の一実施の形態に係るプロトコル解析用アダプタの構成を示すブロック図である。
【図２】図１のプロトコル解析用アダプタの詳細を示すブロック図である。
【図３】図１のプロトコル解析用アダプタの効果を説明するための図である。
【図４】図１のプロトコル解析用アダプタの効果を説明するための図である。
【図５】従来のプロトコル解析を説明するための図である。
【図６】ＡＤＳＬ通信におけるプロトコルスタックを示す図である。
【符号の説明】
１  プロトコル解析用アダプタ
２  イーサネット（登録商標）
３  ユーザ端末
４  ＡＤＳＬモデム内蔵ルータ
５ａ、５ｂ  ＡＤＳＬ回線
６  ＡＤＳＬ通信事業者設備
７  プロトコルアナライザ
１１ａ、１１ｂ  ＡＤＳＬインタフェース部
１２  イーサネット（登録商標）インタフェース部
１３  ＤＳＬＡＭ部
１４  プロトコル変換部
１５  複製部
１６  ＡＤＳＬモデム部
６１  ＤＳＬＡＭ部
６２  ＲＡＳ部
【図１】
2004229009.tif 000003
【図２】
2004229009.tif 000004
【図３】
2004229009.tif 000005
【図４】
2004229009.tif 000006
【図５】
2004229009.tif 000007
【図６】
2004229009.tif 000008